(57)【要約】【課題】  簡単な構造で必要に応じて大きな採光を得られ、低コストに製造できてしかも開閉操作も単純で故障も少ない伸縮雨戸装置を提供する。【解決手段】  建物の雨戸取付け部に取り付けられる雨戸装置であり、上下に伸縮しつつ縮長時に下部側に収束されるとともに、伸長時に建物開口部の上下端側にまたがって建物開口部の一部又は全部を閉鎖する伸縮雨戸ユニットを備える。さらに、伸縮雨戸ユニットの伸長時にその伸長状態を保持させる保持手段と、を備える。これによって、雨戸を常時使用状態としながら、十分な採光と戸外の視界を確保する。【選択図】図３
2008025202.tif 000002
【特許請求の範囲】
【請求項１】
建物の雨戸取付け部に取り付けられる雨戸装置であり、
上下に伸縮しつつ縮長時に下部側に収束されるとともに、伸長時に建物開口部の上下端側にまたがって建物開口部の一部又は全部を閉鎖する伸縮雨戸ユニットと、
伸縮雨戸ユニットの伸長時にその伸長状態を保持させる保持手段と、を備えたことを特徴とする伸縮雨戸装置。
【請求項２】
伸縮雨戸ユニットは、数個または複数の雨戸片を互いに係合させて上下に伸縮するように設けられていることを特徴とする請求項１記載の伸縮雨戸装置。
【請求項３】
伸縮雨戸ユニットを載置して縮長時に収容する底側保持部と、
伸縮雨戸ユニットの伸長時に上端寄り側の雨戸片を着脱自在に係止してその伸長状態を保持する係止部と、を含む枠体により伸縮雨戸ユニットが支持され、全体が独立雨戸体として構成されていること特徴とする請求項１又は２記載の伸縮雨戸装置。
【請求項４】
独立雨戸体は建物の雨戸取付け部に配置されて建物の開口部を横方向にスライド自在に開閉するように設けられていることを特徴とする請求項３記載の伸縮雨戸装置。
【請求項５】
雨戸片は、室外側の面を外側に向けて膨出させた曲面を有することを特徴とする請求項２ないし４のいずれかに記載の伸縮雨戸装置。
【請求項６】
雨戸片は、室内側に切欠きを設けた横断面視扁平Ｃ字状の断面サイズを異ならしめた複数の異形帯板材がロール層状に下部側に収束されるように上下摺動状に設けられていることを特徴とする請求項２ないし５のいずれかに記載の伸縮雨戸装置。
【請求項７】
伸縮雨戸ユニットの伸長時にその伸長状態を保持させる保持手段が、雨戸片の室内側切欠きを利用した該雨戸片と枠体との連結離脱機構からなることを特徴とする請求項６記載の伸縮雨戸装置。
【請求項８】
伸縮雨戸ユニットの伸長時に形成される閉鎖壁の内側に伸縮雨戸ユニットによって開閉される開口部を常時閉鎖する透明板部材が立設されていることを特徴とする請求項１ないし７のいずれかに記載の伸縮雨戸装置。
【発明の詳細な説明】
【技術分野】
【０００１】
本発明は、建物の窓枠近傍に設置される雨戸装置に関し、特に、上下に伸縮可能な伸縮雨戸装置に関する。
【背景技術】
【０００２】
雨風を防ぎ夜の用心とするための雨戸が知られている。従来の雨戸は、たとえば建物の窓枠の窓ガラスの外側部分に配置されて、雨戸全体が水平方向に移動して窓枠開口を開閉移動する構造になっている。また、雨戸は上記のように風雨を防ぐため、あるいは防犯用途で用いられる場合が多いのである程度重量化しており、このため、通常は雨戸を開閉するのが面倒で労力を要する結果、日常的にはあまり活用されておらず、暴風雨時、長期不在時、外出時の防犯等に使用するに止まる。特に、近時の高齢化社会において、高齢者には開閉作業が大変な労力を要するので、日常的にはガラス窓のみでの生活が多く、夜間等防犯上の不安がある。また、雨戸を閉め切った場合、日光を遮断し室内が暗くなるうえ、通気性が悪くなるので健康上も好ましくない。一方では、雨戸を開放状態のままであれば上記のように安全あるいは防犯上に不安が生じる。これに対し、近時、特許文献１に示すような雨戸が提案されている。
【０００３】
【特許文献１】実公平２−１７１１６号
【発明の開示】
【発明が解決しようとする課題】
【０００４】
特許文献１においては、雨戸のフレーム内に上下多段の固定スラットを取り付けて通風窓を設け、室内側の雨戸中桟での操作により通風窓を開閉する可動フラットを設け、通風窓を介して通風可能とした雨戸が示されている。しかしながら、特許文献１の雨戸では、雨戸に複数の通風窓用開口を形成したものであり、さらに、その開閉機構が必要であるから雨戸全体の開口率には限界があり、全開したとしても数箇所に形成した通風窓としての隙間から光が差し込む程度であって採光量はそれほど多くない。また、複数の通風窓を同時開閉するためのリンク杆機構が必要であり、横桟を受けるカム１１や複数の固定、可動フラット構成ともあいまって雨戸の構造が比較的複雑化し、高コストとなっていた。また、リンク機構等を使うことにより故障が多くなり、メンテナンスの手間がかかる問題があった。さらに、複数段状部分に横桟を係止させて開口度を設定する操作は、女性や子供、さらに、老人等にとっては特に危険であるという問題があった。
【０００５】
以上の点に鑑み、出願人は現代高齢化社会における人々が健康で安心して安全に暮らせる生活環境に役立てようと、長年、本雨戸の研究開発に取り組んできた結果、このたび実用に優れた雨戸を開発するに至った。すなわち、本発明は、上記従来の課題に鑑みてなされたものであり、その１つの目的は、簡単な構造で必要に応じて大きな採光を得られ、低コストに製造できてしかも開閉操作も単純で故障も少ない実用性に優れた伸縮雨戸装置を提供することにある。
【課題を解決するための手段】
【０００６】
上記の目的を達成するために、本発明は、建物の雨戸取付け部１１０に取り付けられる雨戸装置であり、上下に伸縮しつつ縮長時に下部側に収束されるとともに、伸長時に建物開口部８０の上下端側にまたがって建物開口部の一部又は全部を閉鎖する伸縮雨戸ユニット１０と、伸縮雨戸ユニット１０の伸長時にその伸長状態を保持させる保持手段４０と、を備えた伸縮雨戸装置１から構成される。伸縮雨戸ユニットは、雨戸枠内に収容させた状態で上下伸縮させる構造としてもよいが、単独で建物開口部を閉鎖しうる位置等に設置してもよい。保持手段は、建物開口部の上端あるいは上方側から伸長状態の雨戸部分を吊支、嵌合、フック係止、差込挿通連結等で着脱可能に支持するようにしてもよいし、また、着脱自在な磁力吸着機構により雨戸枠等の上面側に吸着保持させるようにしてもよい。また、伸縮雨戸装置は、建物開口部の内側、外側、内部側等のいずれに配置させてもよい。
【０００７】
その際、伸縮雨戸ユニット１０は、数個または複数の雨戸片２０を互いに係合させて上下に伸縮するように設けるとよい。上下伸縮により建物開口部を開閉する必要があるから、閉鎖時には雨の侵入等を防止できるように侵入防止用の重なり部を形成するようにそれらの複数の雨戸片を連係させるとよい。雨戸片は下部側に収束させた状態と、引き上げて展開した状態との両方の状態を簡単に構成しうる構造である必要があり、同時に雨戸としての機能を実現するために、奥行き方向（室内から室外に向かう方向）に対して薄型であるのが好ましい。また、例えば上端側に位置するような雨戸片のみを把持して持ち上げると下位側の雨戸片が芋蔓式に連続して上昇する様な構造（実施形態参照）であるのがよい。
【０００８】
また、伸縮雨戸ユニット１０を載置して縮長時に収容する底側保持部５５と、伸縮雨戸ユニット１０の伸長時に上端寄り側の雨戸片２１，２２を着脱自在に係止してその伸長状態を保持する係止部２６，５８と、を含む枠体５０により伸縮雨戸ユニット１０が支持され、全体が独立雨戸体として構成されるようにするとよい。伸縮雨戸ユニットによる上下の伸縮開閉と、伸縮雨戸ユニットを含む雨戸枠全体の横スライド開閉と、を行えるので、伝統的な戸袋を備えた雨戸開閉による雨戸機能も有することができ、建物開口の開口度合いを最大限に享受し得る。また、伸縮雨戸ユニットの伸長保持を雨戸枠との協働により行えるから、伸長保持、離脱縮長の構造を実現しやすく、製作も比較的に容易となる。
【０００９】
また、独立雨戸体は建物の雨戸取付け部１１０に配置されて建物の開口部８０を横方向にスライド自在に開閉するように設けるとよい。
【００１０】
さらに、雨戸片２０は、室外側の面を外側に向けて膨出させた曲面を有するようにしてもよい。室外側の面は、平板状すなわちフラットな面としてもよく、製造容易性の確保、製造コスト低減に資する。また、凹面状であってもよいが、実施形態のように、外側への円弧状膨出構成とするのが強度増大、製造コスト等を考慮すると、好ましい。雨戸片の材質は、合成樹脂プラスチック、繊維強化プラスチック、木材、竹材、鋼板等、あるいはそれらの組み合わせ構造体でもよい。金属材の場合、例えば高強度材、クラッド鋼板、ハイテン鋼板、ステンレス鋼板等で製作すると、構造的に小型となり、加工が容易となって、伸縮雨戸ユニットの高付加価値化、高級品化を実現できる。
【００１１】
また、雨戸片２０は、室内側に切欠き６０を設けた横断面視扁平Ｃ字状の断面サイズを異ならしめた複数の異形帯板材がロール層状に下部側に収束されるように上下摺動状に設けられていてもよい。
【００１２】
また、伸縮雨戸ユニット１０の伸長時にその伸長状態を保持させる保持手段４０が、雨戸片２０の室内側切欠き６０を利用した該雨戸片２０と枠体５０との連結離脱機構７０からなるとよい。
【００１３】
さらに、伸縮雨戸ユニット１０の伸長時に形成される閉鎖壁Ｗの内側に伸縮雨戸ユニット１０によって開閉される開口部８５を常時閉鎖する透明板部材３５が立設されているとよい。
【発明の効果】
【００１４】
本発明の伸縮雨戸装置によれば、建物の雨戸取付け部に取り付けられる雨戸装置であり、上下に伸縮しつつ縮長時に下部側に収束されるとともに、伸長時に建物開口部の上下端側にまたがって建物開口部の一部又は全部を閉鎖する伸縮雨戸ユニットと、伸縮雨戸ユニットの伸長時にその伸長状態を保持させる保持手段と、を備えた構成であるから、常時例えば建物開口部分等に配置して使用し、夜間あるいは外出時等において、簡単に実質的な雨戸機能を行わせるとともに、人の在室時等には、伸縮雨戸ユニットを縮長して開口部を効果的に開放し、豊富な太陽光の導入と充分な室外の視界の広がり感を享受することができる。
【００１５】
また、伸縮雨戸ユニットは、数個または複数の雨戸片を互いに係合させて上下に伸縮するように設けられていることにより、伸長時に上端側に位置するような雨戸片のみを把持して持ち上げると下位側の雨戸片が芋蔓式に連続して上昇し、適宜の伸長保持手段により伸長保持させるとともに、縮長による開放時は逆にその上位側の雨戸片の係合を解除するだけで、簡単に下部側に収束させて開口させることができる。さらに、そのための操作を極めて簡単に行える。また、構造は簡単で、製造コストも安価である。
【００１６】
また、伸縮雨戸ユニットを載置して縮長時に収容する底側保持部と、伸縮雨戸ユニットの伸長時に上端寄り側の雨戸片を着脱自在に係止してその伸長状態を保持する係止部と、を含む枠体により伸縮雨戸ユニットが支持され、全体が独立雨戸体として構成されているから、伸縮雨戸ユニットによる上下の伸縮開閉と、伸縮雨戸ユニットを含む雨戸枠全体の横スライド開閉と、を行えるので、伝統的な戸袋を備えた雨戸開閉による雨戸機能を有して建物開口の開口度合いを最大限に確保し得るとともに、常時使用状態での簡易な上下伸縮開閉による大きな採光と視界保持機能を同時に享受することが可能である。また、伸縮雨戸ユニットの伸長保持を雨戸枠との協働により行えるから、伸長保持、離脱縮長の構造を実現しやすく、製作も比較的に容易となる。
【００１７】
また、独立雨戸体は建物の雨戸取付け部に配置されて建物の開口部を横方向にスライド自在に開閉するように設けられた構成とすることにより、従来の雨戸機能による建物開口部の全開保持と、雨戸の常時使用による簡単な操作での採光量の確保、外部視界確保を実現し得る。
【００１８】
また、雨戸片は、室外側の面を外側に向けて膨出させた曲面を有する構成とすることにより、単純な構造でしかも美観的に優れた外観を呈する雨戸を構成できる上に、外部からの風雨、人的破壊等に大きな耐力を有する強度を保持し得る。
【００１９】
また、雨戸片は、室内側に切欠きを設けた横断面視扁平Ｃ字状の断面サイズを異ならしめた複数の異形帯板材がロール層状に下部側に収束されるように上下摺動状に設けられた構成とすることにより、伸縮雨戸ユニットの上下摺動による連続的な上下伸縮での開口部の開閉を単純な構造で実現し得る。また、製造コストも低廉に維持し得る。
【００２０】
また、伸縮雨戸ユニットの伸長時にその伸長状態を保持させる保持手段が、雨戸片の室内側切欠きを利用した該雨戸片と枠体との連結離脱機構からなる構成であるから、雨戸片の奥行き方向へのサイズをできるだけ薄型に構成しつつ、伸長保持機構を具体的に実現させることができる。
【００２１】
さらに、伸縮雨戸ユニットの伸長時に形成される閉鎖壁の内側に伸縮雨戸ユニットによって開閉される開口部を常時閉鎖する透明板部材が立設された構成とすることにより、常時使用による伸縮雨戸ユニットの上下伸縮操作時の雨、風の侵入を防止し得る。また、窓ガラス自体は、必ずしも別途に設ける必要がなくなり、建物構造全体の設計自由度向上、低コスト化に資する。
【発明を実施するための最良の形態】
【００２２】
以下、添付図面を参照しつつ本発明を実施するための最良の形態について説明する。本発明は、建物の窓枠部分やその他の開口部分の雨戸取付け部に設置し、風雨からの防護、防犯のみならず、豊富な採光量を常時使用においても簡単に確保することのできる雨戸装置であり、操作も簡単で女性、子供、老人等でも気軽に取り扱いできる雨戸装置である。
【００２３】
図は、本発明の伸縮雨戸装置の１つの実施の形態を示しており、図１、２において、伸縮雨戸装置１は、伸縮雨戸ユニット１０と、保持手段４０と、を備えている。
【００２４】
伸縮雨戸ユニット１０は、雨戸取付け部に設置され、上下伸縮により建物開口部８０（図１０）の一部又は全部を閉鎖する上下伸縮開閉手段であり、本実施形態において、該伸縮雨戸ユニット１０は、縮長時には図８に示すように下部側に収束されるとともに、伸長時に図３のように建物開口部の上下端側にまたがって建物開口部の一部又は全部を閉鎖する。特に、本実施形態において、該伸縮雨戸ユニット１０は、複数個の雨戸片２０を互いに係合させて上下に伸縮するようにした雨戸ユニットとして構成されており、これによって、雨戸の上下伸縮構成を具体的に実現する。雨戸片２０は、上下に伸長した状態でそれぞれの雨戸片の上端部、上下端部、下端部において、それらの雨戸片の上下の雨戸片と相互に係着しあうように連結され、これによって、建物開口部を面状に閉鎖する機能を有する構成であればよい。この伸縮雨戸ユニットは、任意の雨戸取付け部に固定的に設置してもよいし、あるいは枠構造体を形成してその内部にこの伸縮雨戸ユニット上下伸縮自在に設け、さらに、枠構造体自体が建物開口部を開閉自在に移動可能とするとよい。
【００２５】
本実施形態において、図３に示すように、伸縮雨戸ユニット１０はたとえば金属フレームで構成された雨戸枠５０内に収容配置され、この内部で上下伸縮するようになっている。この雨戸枠５０は、たとえば建物開口部８０を開閉するように建物の雨戸取付け部に設置され、本実施形態では窓ガラス設置部９０、網戸設置部１００に隣接して設けられた雨戸取付け部１１０の上下案内枠１１１に横スライド自在に嵌め込まれて設置されている。したがって、雨戸枠５０内での伸縮雨戸ユニットによる上下伸縮開閉とは別に、該雨戸枠５０自体を横スライド移動することにより、建物開口部８０全体を一部ないしは全部開閉させることができる。雨戸枠５０は、室内から室外に向かう方向にある程度の厚み幅空隙を有する例えば金属製の四角枠体からなり、四角形の外枠５１の室外側にその内側を縦に３分割する様に相互に離隔した２本の縦枠部材５２，５３が固定されている。一方、雨戸枠５０の室内側には図２に示すように、中央部に縦に１本の縦枠部材５４が固定されて立てられている。これらの縦枠部材以外では雨戸枠５０の内側をさえぎるものはなく、したがって、例えば額縁状の外枠５１の表裏面側にそれぞれ縦方向に縦枠部材が固定された構造である。これらの縦枠部材５２，５３，５４はそれぞれ雨戸枠５０全体の補強を行って強度を高くする一方、室外側の縦枠部材５２，５３は、風雨等の自然現象による破断防止ならびに外部からの人的な侵入時等に対する防犯枠として機能し、室内側の縦枠部材５４は、開口部閉鎖状態の伸長時の伸縮雨戸ユニット１０の保持を行う。室外側の２本の縦枠部材５２，５３はできるだけ細い素材で可能であれば、透明な素材であるとよい。なお、雨戸片の室外側壁材を高強度素材などを用いて構成する場合には、これらの室外側の縦枠部材５２，５３は、設けない方が、開放状態の視野をさえぎるものが全くなくなる点を考慮すると、より好ましい。
【００２６】
上記のように、本実施形態では、雨戸枠５０はその内部で伸縮雨戸ユニットを伸縮させて開口部８０を開閉する枠体からなる独立雨戸体として構成され、雨戸枠５０の外枠５１の底部枠５５が伸縮雨戸ユニットを上面に載置して縮長時に収容する底側保持部とされる。そして、室内裏面側の縦枠部材５４にはそれぞれ最上位と、最上位より１つ下段の雨戸片１２１、１２３に対応する部分に通し孔５８が設けられている。これらの通し孔５８は、伸縮雨戸ユニットの伸長時に上端寄り側の雨戸片を着脱自在に係止してその伸長状態を保持する係止部とされる。
【００２７】
前述したように、伸縮雨戸ユニット１０を構成する複数の雨戸片２０は、本実施形態では、伸長時の最上位雨戸片２１、最上位の１つ下位である上から２段目の雨戸片２２、最上位から２つ下位の３段目の雨戸片２３ならびに最下位部の雨戸片２４の４個の雨戸片で構成されている。本実施形態では、これらの雨戸片は、下部側収束状態から伸長するときに上下摺動状に引き上げられ、順次、連鎖状に係合連結して展開される。すなわち、図４ないし図６の例では、１つの雨戸片は、室内側ＩＳ（図８参照）に切欠き部６０を設けた横断面視扁平略Ｃ字状の帯板材からなり、そのサイズを順次略相似状に異ならしめた４個の雨戸片により伸縮雨戸ユニットが形成されている。図４において、外枠５１内で最も外形の大きな雨戸片が最上位雨戸片２１、それに隣り合う１つ内側に収容された雨戸片が２段目雨戸片２２であり、以下順にそれらの内側に収容されるように３段目雨戸片２３、最下位雨戸片２４がロール層状に下部側に収束配置されている。図４、図８のように、縮長して下部側収束状態では、最上位雨戸片２１内にすべての他の雨戸片２２，２３，２４が収納され、例えば、最上位雨戸片２１の高さ程度で収束されている。これによって、伸縮雨戸ユニット１０を縮長した場合には最上位雨戸片２１の高さのみにより開口部８０は遮られるものの、最上位雨戸片２１の高さを除く部分は全開状態となり、これによって、建物開口部８０から大きな採光量を得ることができる。さらに、室内から室外を見る場合の視界が大きく確保できるから、在室者の気分を良好にさせることができる。ここに、伸縮雨戸ユニット１０を伸長して雨戸枠開口部８５の全閉状態では各雨戸片２１〜２４の外側壁で形成されるあたかも連続した壁を形成し、これが閉鎖壁Ｗとされる。
【００２８】
図６において、雨戸片２０は、外側壁２０１、奥行き壁２０２並びに室内側折込壁２０３を帯板材により断面Ｃ字状に一体連結して構成されており、その断面形状のままで上下に伸びて上下端及び側壁の一部を切欠き開口した扁平四角筒形状を呈している。そして、外側壁２０１の表面は平面視で外側に向けて緩やかに凸となるように外側に向けて膨出させた曲面を形成している。これによって、室外からの風や人による打突などに対しても強度を有する構造となる。雨戸片２０は、アルミニウムその他の軽量な金属、その他の金属がよいが、薄い鉄板などで形成してもよい。また、合成樹脂材で形成してもよいが、ある程度強度を確保できるように材質に改良を加えたり、あるいはリブなどを設けて補強構造とするとよい。
【００２９】
図３において、雨戸片２０は基本的には高さ方向上端側において外側に反るように拡大する拡大縁３０を有するとともに、下端側には内側に外形を小さくする拡小縁３１を備えている。最上位雨戸片２１は下端側に拡小縁３１を形成しているが、上端側は直状に形成されている。また、最下位雨戸片２４は、上端側に拡大縁３０を有する一方、下端側は直状に形成されて雨戸枠５０の底部枠５５上で支持されている。雨戸片２１〜２４は、それぞれの上端側拡大縁と下端側拡小縁とで互いに合欠き状に係合し、上方への抜け止め構造となっている。その際、伸縮雨戸ユニットの伸長状態では、上位側の雨戸片の下端側拡小縁３１が、下位側の雨戸片の上端側拡大縁３０の外面を外側から覆うように係合するから、雨などの室内側への降り込みや侵入を防止できる。これによって、雨戸片をスライド状に自在に上下移動可能とされ、さらに、簡単に伸長、縮長状態を形成させることができる。各雨戸片の上下伸縮移動時の係合関係は、簡単に係着、離脱できるようなルーズな連結でよい。これらの雨戸片は、収束縮長時にたとえば最下端に位置する雨戸片の高さに収束する。収束高さは、最下端の雨戸片のものに一致する必要はないが、すべてを収束状態としたときにできる限り大きな開口を形成できるように収束させるのが好ましい。この伸縮雨戸ユニットは、任意の雨戸取付け部に固定的に設置してもよいし、あるいは後述するように雨戸枠５０内に収容されるようにして設置してもよい。
【００３０】
該雨戸片２０の室内側切欠き部６０は、実施形態において両側の室内側折込壁２０３の中間位置に幅長さの３分の１程度の長さの切欠き部として形成されその部分で室内側折込壁２０３を不連続とし、縦に大きく分断している。そして、これらの室内側折込壁２０３の対向端部どうしを連結するように横方向に長い連結材２５がその両端側を連結固定させている。したがって、雨戸片２０は、この連結材２５の部分においてのみ周回状に連続している。連結材２５は、それぞれの雨戸片全体の強度を保持させるとともに、この連結材２５を介して伸縮雨戸ユニットの伸長状態を連結離脱自在に保持させる。
【００３１】
図６において、連結材２５の略中央位置には孔２６が穿孔されているとともに、室内側縦枠部材５４（図２参照）には、伸縮雨戸ユニットを伸長させた状態での各雨戸片の連結材２５に設けた孔２６に対応する位置に前述した通し孔５８が形成されている。本実施形態では、最上位及び２段目の雨戸片に対応する位置に２個の通し孔５８が設けられている。そして、図３に示すように、伸長状態の伸縮雨戸ユニットの雨戸片と室内側縦枠部材５４の通し孔５８を貫通して係止するロッド状の係止部材５９が設けられ、これによって、伸縮雨戸ユニット１０の伸長状態を保持させる。本実施形態において、孔２６、通し孔５８、係止部材５９により連結離脱機構７０が構成される。本実施形態において、連結離脱機構は、雨戸枠５０に対して、伸長して展開状態の雨戸枠を簡易に係合させて伸長状態を保持するとともに、下位側に雨戸片を収束させたい場合には、その係合を簡易に解除させることのできる機構であり、本実施形態では、詳細には図示しないが、係止部材５９は、ロッド体の先端部側に常時拡大方向にばね付勢されるロック突出部を有する構造とし、通し孔５８から該ロッド体を挿通させるときにはばね力に抗してロッド軸方向に収縮させた状態で通し、雨戸片の連結材２５の孔を貫通すると、ばね力が働いてロック突出部を拡大させ、これによって雨戸片を雨戸枠に対して係止させるような構造となっている。これに限らず、例えばこの連結離脱機構７０は、例えば最上位及び２段目等の上位の雨戸片の伸長位置に対応する位置の室内側縦枠部材５４にフック部あるいはフック受け部を設けるとともに、それらの雨戸片側にこれらに着脱嵌着するフック受け部あるいはフック部を設けることによっても実現しうる。さらに、このほか、任意の簡易な連結離脱構成の連結離脱機構を設けるとよい。ここに、連結離脱機構７０は、雨戸片２０の室内側切欠き６０を利用した該雨戸片と枠体との連結離脱をおこなうことにより伸縮雨戸ユニットの伸長時にその伸長状態を着脱保持させる保持手段４０として機能する。
【００３２】
実施形態において、伸縮雨戸装置１は、図３、４、８に示すように、伸縮雨戸ユニットの室外側の壁２０１よりも室内側位置に立設されてしかも、該伸縮雨戸装置１に一体的に取り付けられた透明板部材３５を備えている。透明板部材３５は、伸縮雨戸ユニット１０と協働して雨戸枠を建物開口部を常時閉鎖する位置に配置させた状態で、風雨除け、防犯用の通常の雨戸機能と、採光、視界確保の窓ガラス機能を保持させる、雨戸常時使用による大採光確保手段であり、実施形態において、雨戸枠５０に収容される伸縮雨戸ユニット１０の最下位雨戸片、すなわち最小外形の雨戸片２４の内側に配置されるように設置されている。この透明板部材３５は、上下端は外枠５１に固定されており、したがって、この場合には、伸縮雨戸ユニット１０の案内並びにセンタ支持の機能をも有している。したがって、雨戸の建物開口部への配置状態において、伸縮雨戸ユニットを伸長、縮長させるために雨戸片を持ち上げ、あるいは下降操作するときに、外が風雨状態である場合も室内側への雨の降り込みや埃の侵入等を確実に防止して、安定してそれらの上下動操作を行うことができる。
【００３３】
次に、本実施形態の作用について説明すると、図１０の建物開口部８０の窓ガラス設置部に配置された２個の窓ガラス９２、９３のうち、図上、右側開口部に設置された窓ガラス９２の前面の雨戸取付け部１１０に伸縮雨戸装置１が配置されている。いま、この伸縮雨戸装置１は、伸縮雨戸ユニット１０が縮長した状態（図８参照）にセットされており、このとき、各雨戸片２０は最上位の最大外形雨戸片２１の内側にロール巻きされたように収容されて収束されている。この状態では、少なくとも雨戸枠５０の例えば４分の３程度の開口が確保され、室外側ＯＳから豊富な太陽光を取り込むことができる上に、窓の外の視界を大きく取れて快適な室内生活を享受し得る。また、このとき、雨戸を開放した状態でも透明板部材３５が雨戸枠５０内を閉鎖するように立設されているから、風雨の室内側ＩＳへの降込みや侵入を防止できる。
【００３４】
夜間や外出時等においては、室内側で最大外形の雨戸片２１の上端部等を把持して上方に持ち上げると順次小さな外形の雨戸片についてそれぞれの３０，３１を含む係合縁部３２で係合しながら数珠繋ぎ状に連結状態で引き上げられ、雨戸片２１、２２の孔２６と室内側縦枠部材５４の通し孔５８とを位置あわせして付勢係止ロッド等の係止ロック部材５９をそれぞれ挿通し、ロック保持させることにより伸縮雨戸ユニット１０の伸長状態を保持し、雨戸枠５０内の開口を全て閉成させる。これによって、常時は、このように、窓ガラスの前面側に雨戸枠すなわち伸縮雨戸装置を配置させた状態で使用し、昼夜あるいは外出時等において、簡単に実質的な雨戸機能を実現することができる。本実施形態では、伸縮雨戸ユニット１０が鋼製等の雨戸枠内に配置された状態で動作し、かつ、雨戸枠５０自体は雨戸取付け部１０を横方向にスライド移動可能となっているので、雨戸枠自体をスライド移動させると、窓枠部分全体を全開放状態とさせることもできる。伸縮雨戸ユニットの伸長時の上位の雨戸片の持ち上げ動作と、孔等の位置合わせに際し、連通位置が室内側縦枠部材との当たり具合で分かるように、それぞれに凹か凸の嵌合部分を設けておけば付勢係止ロッド等による連結操作を短時間かつ簡単に行える。また、これらの部分に仮係止用のフックと爪等を形成しておけば、操作もより楽に行える。
【００３５】
上記の実施形態では、窓ガラス、網戸の外側に本伸縮雨戸装置を設置する例を示したが、本発明の伸縮雨戸装置では、窓ガラスや網戸を設けないで本装置のみを建物開口部に設置するようにしてもよい。この場合には、該装置のみで窓ガラス及び雨戸機能を行うことができる点は上記した通りである。この場合、室内気密を保持する必要がある場合には、雨戸枠の室内側壁面に透明アクリルボード等のシャッタを配置するとよい。この際、図９に示すように、雨戸枠の高さ中間位置等において、防雨・通風性の合成樹脂製ネット１１５を取り付けてもよい。
【００３６】
次に、図１１により本発明の第２の実施形態について説明する。この実施形態では、伸縮雨戸ユニット１０−１を含む独立雨戸体の構成が前記した実施形態と異なるのみであり、その他の構成及び作用は第１の実施形態と同一であるから、その詳細な説明は省略する。この実施形態では、図１２に示すように、各雨戸片２０Ｎは互いに上下端側で係合しながら雨戸枠開口部８５を閉鎖するように伸長、展開された状態となる点は、第１実施形態と同様であるが、個別の雨戸片の形状が独特であり、したがって、雨戸枠全体を薄型にできる上に、雨戸片の構成がより簡単となり、製造容易で低コスト化を図れる。すなわち、この実施形態で詳細に説明すると、最上位と最下位の雨戸片を除く中間の雨戸片については、側面視変形Ｚ字状に形成されたＺ字板形状で構成されている。そして、上水平板２５１が第１実施形態の拡大縁３０に対応し、下水平板２５２が拡小縁３１にそれぞれ対応している。上水平板２５１と下水平板２５２とが下がり傾斜板２５３の上下端部でそれぞれ接合されて略Ｚ字状板として形成されている。一方、最上位の雨戸片は側面視Ｚ字の上水平板２５１を設けない斜めＬ形の板材から構成されるとともに、最下位の雨戸片は、側面視Ｚ字の下水平板２５２を設けない反転斜めＬ形の板材から構成されている。
【００３７】
これらの雨戸片２０Ｎは、本実施形態では最上位、２段目、３段目、最下位の雨戸片２０Ｎ１、２０Ｎ２、２０Ｎ３、２０Ｎ４を組み合わせて上下に展開格納自在に係合するようになっている。すなわち、最上位雨戸片２０Ｎ１の下端側となる下水平板２５２が２段目雨戸片２０Ｎ２の上端側となる上水平板２５１と係合するとともに、２段目雨戸片２０Ｎ２の下端側となる下水平板２５２が３段目雨戸片２０Ｎ３の上端側となる上水平板２５１と係合し、以下それぞれの雨戸片の上下がそれぞれの雨戸片の上位並びに下位の雨戸片の上下の水平板に係合して数珠繋ぎ状に係合しつつ上下伸縮し面状の閉鎖壁Ｗを格納展開自在に形成されている。この実施形態では、各雨戸片は斜めＬ字あるいは側面視略Ｚ字であるから、雨戸枠開口部８５の閉鎖時に雨戸枠の下部に全ての雨戸片を収束させる場合には、図１３のように、第１実施形態と同様に略１つの雨戸片の高さ内で収束ししかもＬ字あるいはＺ字状の板材を密着状に畳み込んで収束させることができ、雨戸枠の薄型、コンパクト化に資する。雨戸枠開口部８５の閉鎖に際し伸縮雨戸ユニットを伸長展開させるときには、図１３の状態から雨戸片２０Ｎを把持して上方に持ち上げると自然にそれぞれの下端側の下水平板２５２が下位の雨戸片の上水平板２５１の下面側をその上面に載せるようにして係合するから、これらが数珠繋ぎ状に連係しながら最終的に雨戸枠開口部を伸長閉鎖させる。
【００３８】
なお、雨戸ユニット全体の伸長状態の係止保持については、最上位の雨戸片に図示しない係止ピン、フック等の係合部材、雨戸枠側にこれらと係合する孔、フック受け等を設けることにより係止保持を行うことができる。
【００３９】
この実施形態では、透明板部材は示していないが、例えば雨戸枠５０内の伸縮雨戸ユニットよりも外側位置で第１実施形態と同様の透明板部材を設置することができる。また、Ｚ字の上下水平板の長さを短くした構成でアクリル樹脂等の透明板による雨戸片２０Ｎと同様の構成の透明板片を上下に伸縮自在に数珠繋ぎ係合させて透明な開閉壁体を雨戸片２０Ｎの室外側あるいは室内側に設置してもよい。さらに、防雨・通風性の合成樹脂製ネットを取り付けてもよい。
【００４０】
この第２実施形態においても第１実施形態と同様に、常時例えば建物開口部分等に配置して使用し、夜間あるいは外出時等において、簡単に実質的な雨戸機能を行わせるとともに、人の在室時等には、伸縮雨戸ユニットを縮長して開口部を効果的に開放し、豊富な太陽光の導入と充分な室外の視界の広がり感を享受することができる。また、伸長時に上端側に位置するような雨戸片のみを把持して持ち上げると下位側の雨戸片が芋蔓式に連続して上昇し、適宜の伸長保持手段により伸長保持させるとともに、縮長による開放時は逆にその上位側の雨戸片の係合を解除するだけで、簡単に下部側に収束させて開口させることができる。さらに、そのための操作を極めて簡単に行える。また、構造は簡単で、製造コストも安価である。
【００４１】
上記第１、第２実施形態ともについて、例えば雨戸片の材質について、例えば高強度金属材、クラッド鋼板、ハイテン鋼板、ステンレス鋼板等で製作すると、構造的に雨戸枠の薄肉化、小型化を実現できる。また、この場合、室内外の補強用等の縦枠部材は設けてもよいが、設ける必要もなくなり、視界を遮蔽するものがなくなり、美観的にも有利である。さらに、両実施形態について、特に雨戸片の上下伸縮駆動を別途に配置した油圧、電動等の駆動モータの駆動力とワイヤープーリ、ギヤ等の適宜の伝達、変換機構を介して行わせるようにしてもよい。
【００４２】
以上説明した本発明の伸縮雨戸装置は、上記した実施形態のみに限定されるものではなく、特許請求の範囲に記載した発明の本質を逸脱しない範囲において、任意の改変を行ってもよい。
【産業上の利用可能性】
【００４３】
本発明の伸縮雨戸装置は、建物開口部全般において雨戸機能を行わせたい全ての部分について簡易に適用することができる。
【図面の簡単な説明】
【００４４】
【図１】本発明の第１実施形態に係る伸縮雨戸装置の室外側から見た一部切欠き正面図である。
【図２】図１の伸縮雨戸装置の室内側から見た一部切欠き背面図である。
【図３】図１のＡ−Ａ線断面図である。
【図４】図１のＢ−Ｂ線断面図である。
【図５】図１の伸縮雨戸装置の１つの雨戸片の平面図である。
【図６】図１の伸縮雨戸装置の１つの雨戸片の斜視図である。
【図７】図１の伸縮雨戸装置の伸縮雨戸ユニットの下部側収束状態の一部切欠き正面図である。
【図８】図７の伸縮雨戸装置の伸縮雨戸ユニットの下部側収束状態の縦断面図である。
【図９】本発明の伸縮雨戸装置の雨戸枠の中間位置に雨や虫等の侵入を防止するネットを張設させた例を示す図である。
【図１０】図１の伸縮雨戸装置の設置例の一部省略斜視説明図である。
【図１１】本発明の第２実施形態に係る伸縮雨戸装置の独立雨戸体の縦断面図である。
【図１２】図１１の独立雨戸体の開口を全開して雨戸片を下部に収束させた状態の断面説明図である。
【図１３】図１１の上下中間の雨戸片の斜視説明図である。
【符号の説明】
【００４５】
１  伸縮雨戸装置
１０  伸縮雨戸ユニット
２０  雨戸片
２０１  外側壁
２１  最上位雨戸片
２４  最下位部雨戸片
２５  連結材
３５  透明板部材
４０  保持手段
５０  雨戸枠
５１  外枠
５４  室内側縦枠部材
５５  底部枠
５８  通し孔
５９  係止部材
６０  切欠き部
７０  連結離脱機構
８０  建物開口部
１１０  雨戸取付け部
１１５  防雨、防虫ネット
【図１】
2008025202.tif 000003
【図２】
2008025202.tif 000004
【図３】
2008025202.tif 000005
【図４】
2008025202.tif 000006
【図５】
2008025202.tif 000007
【図６】
2008025202.tif 000008
【図７】
2008025202.tif 000009
【図８】
2008025202.tif 000010
【図９】
2008025202.tif 000011
【図１０】
2008025202.tif 000012
【図１１】
2008025202.tif 000013
【図１２】
2008025202.tif 000014
【図１３】
2008025202.tif 000015